【手続補正書】
【提出日】平成27年3月11日(2015.3.11)
【手続補正１】
【補正対象書類名】特許請求の範囲
【補正対象項目名】全文
【補正方法】変更
【補正の内容】
【特許請求の範囲】
【請求項１】
（ｉ）芳香族ポリカーボネートと、
（ｉｉ）ポリアクリロニトリルを含むグラフト共重合体と、
（ｉｉｉ）２５，０００ダルトン（Ｄａ）〜６５，０００ダルトン（Ｄａ）の重量平均分子量（Ｍｗ）を有する非架橋型アクリル重合体と、
（ｉｖ）アクリルベースの衝撃強度改質剤またはメタクリレート−ブタジエン−スチレン（ＭＢＳ）ベースの衝撃強度改質剤と
の混合物を含む組成物。
【請求項２】
前記非架橋型アクリル重合体が、６０，０００Ｄａ以下の重量平均分子量（Ｍｗ）を有する、請求項１に記載の組成物。
【請求項３】
前記非架橋型アクリル重合体が、３０，０００Ｄａ以上の重量平均分子量（Ｍｗ）を有する、請求項１または２のいずれか一項に記載の組成物。
【請求項４】
前記非架橋型アクリル重合体が、６０〜１００重量％のメチルメタクリレート単量体および０〜４０重量％の１つまたは複数のアルキル（アルク）アクリレート共単量体の重合によって得られる重合体を含む、請求項１〜３のいずれか一項に記載の組成物。
【請求項５】
前記非架橋型アクリル重合体が、６０〜９９．９重量％のメチルメタクリレート単量体および０．１〜４０重量％の１つまたは複数のアルキル（アルク）アクリレート共単量体の重合によって得られるアクリル共重合体を含む、請求項１〜４のいずれか一項に記載の組成物。
【請求項６】
前記アクリル共重合体が、８０〜９９重量％のメチルメタクリレート単量体、および２０〜１重量％の１つまたは複数のアルキル（アルク）アクリレート共単量体を重合することによって得られる、請求項５に記載の組成物。
【請求項７】
前記アクリル共重合体のアルキル（アルク）アクリレート共単量体が、アルキルアクリレート共単量体を含む、請求項５または６のいずれか一項に記載の組成物。
【請求項８】
前記アクリル共重合体の１つまたは複数のアルキルアクリレート共単量体が、１つまたは複数のＣ１からＣ８のアルキルアクリレート共単量体を含む、請求項７に記載の組成物。
【請求項９】
前記１つまたは複数のＣ１からＣ８のアルキルアクリレート共単量体が、メチルアクリレート、エチルアクリレート、プロピルアクリレート、ブチルアクリレートおよびその混合物からなる群から選択される、請求項８に記載の組成物。
【請求項１０】
前記アクリル共重合体が、メチルメタクリレート単量体および１つまたは複数のアルキルアクリレート共単量体から本質的になる、請求項６〜９のいずれか一項に記載の組成物。
【請求項１１】
前記アクリル共重合体が、１つのアルキルアクリレート共単量体のみを含む、請求項７〜１０のいずれか一項に記載の組成物。
【請求項１２】
前記非架橋型アクリル重合体が、組成物の全重量に基づいて、３重量％以上の量で存在する、請求項１〜１１のいずれか一項に記載の組成物。
【請求項１３】
前記非架橋型アクリル重合体が、組成物の全重量に基づいて、２５重量％以下の量で存在する、請求項１〜１２のいずれか一項に記載の組成物。
【請求項１４】
前記ポリアクリロニトリルを含むグラフト共重合体が、アクリル−スチレン−アクリロニトリル（ＡＳＡ）重合体、アクリロニトリル−ＥＰＤＭ−スチレン（ＡＥＳ）重合体、オレフィン−スチレン−アクリロニトリル（ＯＳＡ）重合体、またはアクリロニトリル−ブタジエン−スチレン（ＡＢＳ）重合体を含む、請求項１〜１３のいずれか一項に記載の組成物。
【請求項１５】
前記ポリアクリロニトリルを含むグラフト重合体が、ＡＳＡ重合体、ＡＥＳ重合体またはＡＢＳ重合体を含む、請求項１４に記載の組成物。
【請求項１６】
前記ポリアクリロニトリルを含むグラフト共重合体が、組成物の全重量に基づいて、０．５重量％以上の量で存在する、請求項１〜１５のいずれか一項に記載の組成物。
【請求項１７】
前記ポリアクリロニトリルを含むグラフト共重合体が、組成物の全重量に基づいて、６０重量％以下の量で存在する、請求項１〜１６のいずれか一項に記載の組成物。
【請求項１８】
前記芳香族ポリカーボネートが、ビスフェノールから得られる、請求項１〜１７のいずれか一項に記載の組成物。
【請求項１９】
前記芳香族ポリカーボネートが、組成物の全重量に基づいて、３０重量％以上の量で存在する、請求項１〜１８のいずれか一項に記載の組成物。
【請求項２０】
前記芳香族ポリカーボネートが、組成物の全重量に基づいて、９０重量％以下の量で存在する、請求項１〜１９のいずれか一項に記載の組成物。
【請求項２１】
前記ポリアクリロニトリルを含むグラフト共重合体の重量に対する前記芳香族ポリカーボネートの重量比が、９０：１〜０．５：１である、請求項１〜２０のいずれか一項に記載の組成物。
【請求項２２】
前記衝撃強度改質剤が、ＭＢＳベースの衝撃強度改質剤を含む、請求項２２に記載の組成物。
【請求項２３】
前記衝撃強度改質剤が、コアシェル型重合体粒子の形態である、請求項１〜２２のいずれか一項に記載の組成物。
【請求項２４】
前記衝撃強度改質剤が、組成物の全重量に基づいて、１重量％以上の量で存在する、請求項１〜２３のいずれか一項に記載の組成物。
【請求項２５】
前記衝撃強度改質剤が、組成物の全重量に基づいて、２０重量％以下の量で存在する、請求項１〜２４のいずれか一項に記載の組成物。
【請求項２６】
ＩＳＯ１１３３：１９９７に従って測定されるような、５ｋｇ／ｃｍ３の負荷を適用する２６０℃での前記組成物のメルトフローインデックスが、同等レベルの芳香族ポリカーボネートを含みかつ非架橋型アクリル重合体を含まない、同等の組成物よりも少なくとも５％大きい、請求項１〜２５のいずれか一項に記載の組成物。
【請求項２７】
溶融加工用途において使用するための、請求項１〜２６のいずれか一項に記載の組成物。
【請求項２８】
強化繊維をさらに含む、請求項１〜２７のいずれか一項に記載の組成物。
【請求項２９】
請求項１〜２４のいずれか一項において定義されるような芳香族ポリカーボネート、請求項１〜２４のいずれか一項において定義されるようなポリアクリロニトリルを含むグラフト共重合体、請求項１〜２４のいずれか一項において定義されるような非架橋型アクリル重合体、および請求項１〜２４のいずれか一項において定義されるようなアクリルベースの衝撃強度改質剤またはメタクリレート−ブタジエン−スチレン（ＭＢＳ）ベースの衝撃強度改質剤を混合することを含む、請求項１〜２４のいずれか一項において定義されるような組成物を製造するプロセス。
【請求項３０】
前記混合が、芳香族ポリカーボネート、ポリアクリロニトリルを含むグラフト共重合体、非架橋型アクリル重合体およびアクリルベースの衝撃強度改質剤またはメタクリレート−ブタジエン−スチレン（ＭＢＳ）ベースの衝撃強度改質剤を溶融ブレンドすることを含む、請求項２９に記載のプロセス。
【請求項３１】
請求項１〜２８のいずれか一項において定義されるような組成物を含む物品。
【請求項３２】
請求項１〜２８のいずれか一項において定義されるような組成物を溶融して型に加えること、溶融組成物を型の中で固結させて物品を形成すること、および型から物品を取り出すことを含む、物品を製造する方法。
【請求項３３】
請求項１〜２８のいずれか一項において定義されるような組成物を射出成形することを含む、物品を形成する方法。
【請求項３４】
請求項１〜２８のいずれか一項において定義されるような芳香族ポリカーボネート、および請求項１〜２８のいずれか一項において定義されるようなポリアクリロニトリルを含むグラフト共重合体、およびアクリルベースの衝撃強度改質剤またはメタクリレート−ブタジエン−スチレン（ＭＢＳ）ベースの衝撃強度改質剤、および任意で強化繊維を含む、混合物のメルトフローレート向上のための添加剤としての、請求項１〜２８のいずれか一項において定義されるような非架橋型アクリル重合体の使用。
【請求項３５】
請求項１〜２８のいずれか一項において定義されるような芳香族ポリカーボネート、および請求項１〜２８のいずれか一項において定義されるようなポリアクリロニトリルを含む
グラフト共重合体、およびアクリルベースの衝撃強度改質剤またはメタクリレート−ブタジエン−スチレン（ＭＢＳ）ベースの衝撃強度改質剤、および任意で強化繊維を含む、混合物の成形用途における加工サイクル時間を減少させるための添加剤としての、請求項１〜２８のいずれか一項において定義されるような非架橋型アクリル重合体の使用。
【請求項３６】
請求項１〜２８のいずれか一項において定義されるような芳香族ポリカーボネート、請求項１〜２８のいずれか一項において定義されるようなポリアクリロニトリルを含むグラフト共重合体、およびアクリルベースの衝撃強度改質剤またはメタクリレート−ブタジエン−スチレン（ＭＢＳ）ベースの衝撃強度改質剤、および任意で強化繊維を含む、混合物のメルトフローレートを向上させる方法であって、請求項１〜２８のいずれか一項において定義されるような非架橋型アクリル重合体を混合物と混合することを含む方法。
【請求項３７】
請求項１〜２８のいずれか一項において定義されるような芳香族ポリカーボネート、請求項１〜２８のいずれか一項において定義されるようなポリアクリロニトリルを含むグラフト共重合体、およびアクリルベースの衝撃強度改質剤またはメタクリレート−ブタジエン−スチレン（ＭＢＳ）ベースの衝撃強度改質剤、および任意で強化繊維を含む、混合物から射出成形用途において物品を形成するための加工サイクル時間を減少させる方法であって、請求項１〜２８のいずれか一項において定義されるような非架橋型アクリル重合体を混合物と混合し、得られた混合物から射出成形手順によって物品を形成することを含む方法。